(57)【要約】【課題】より少ない部品数で、かつより簡素化した施工手順で施工することができ、設計仕様により上端筋１４と埋込材２０との距離が異なる場合でも、同じ部材でもってそれに適切に対処することができる、改良された現場施工型中空コンクリートスラブおよびその施工方法を提供する。【解決手段】施工現場で型枠１０の上に下端筋１３と埋込材２０と上端筋１４とを配置した状態で当該施工現場においてコンクリートを打設する現場施工型中空コンクリートスラブ構造において、型枠１０に、埋込材２０を貫通しかつ埋込材２０の上面から突出する突出部を有する埋込材固定用の棒部材３３を立設し、そこに埋込材固定板４０を取り付けて、埋込材２０の浮き上がりを抑制する。さらに、棒部材３３の上端に、上端筋スペーサ４５を高さ位置を調節した後に固定し、その上に上端筋１４を配置する。【選択図】図１
2007247138.tif 000002
【特許請求の範囲】
【請求項１】
施工現場で型枠の上に少なくとも下端筋と埋込材と上端筋とを配置した状態で当該施工現場においてコンクリートを打設し、コンクリートの硬化後に型枠を取り除いて構築される現場施工型中空コンクリートスラブ構造であって、
埋込材を貫通しかつ埋込材の上面から突出する突出部を有する埋込材固定具と、前記埋込材固定具に取り付けられた埋込材固定板と、前記埋込材固定具の前記突出部に高さ位置を調節した後に取り付けられた上端筋スペーサとをさらに含んでおり、前記上端筋は前記上端筋スペーサに載った姿勢とされていることを特徴とする現場施工型中空コンクリートスラブ構造。
【請求項２】
前記埋込材固定板も高さ位置が調節された後に前記埋込材固定具に取り付けられたものであることを特徴とする請求項１記載の現場施工型中空コンクリートスラブ構造。
【請求項３】
前記上端筋スペーサの上に配置した捨て筋をさらに含んでおり、前記上端筋は前記捨て筋を介して上端筋スペーサに載った姿勢とされていることを特徴とする請求項１または２に記載の現場施工型中空コンクリートスラブ構造。
【請求項４】
施工現場で型枠の上に少なくとも下端筋と埋込材と上端筋とを配置した状態で当該施工現場においてコンクリートを打設し、コンクリートの硬化後に型枠を取り除いて構築される現場施工型中空コンクリートスラブの施工方法であって、
前記型枠の上に前記下端筋と前記埋込材を配置した状態で、埋込材固定具を埋込材を貫通しかつ埋込材の上面から先端が突出した状態で型枠に取り付ける工程、
前記埋込材固定具に埋込材の上方への移動を規制するための埋込材固定板を取り付ける工程、
前記埋込材固定具の埋込材から上方に突出している部分に高さ位置を調節しながら上端筋スペーサを取り付ける工程、
前記上端筋スペーサの上に載るようにして上端筋を配置する工程、
コンクリートを打設する工程、および、
打設したコンクリートが硬化した後に型枠を取り除く工程、
とを少なくとも含むことを特徴とする現場施工型中空コンクリートスラブの施工方法。
【請求項５】
前記埋込材固定具に埋込材固定板を取り付ける工程が、埋込材固定板の高さ位置を調整するための工程をさらに含むことを特徴とする請求項４に記載の現場施工型中空コンクリートスラブの施工方法。
【請求項６】
前記埋込材固定具に上端筋スペーサを取り付ける工程と前記上端筋スペーサの上に載るようにして上端筋を配置する工程との間に、前記上端筋スペーサの上に捨て筋を配置する工程をさらに有しており、上端筋は前記捨て筋を介して前記上端筋スペーサの上に載るように配置されることを特徴とする請求項４または５に記載の現場施工型中空コンクリートスラブの施工方法。
【発明の詳細な説明】
【技術分野】
【０００１】
本発明は、現場施工型中空コンクリートスラブ構造とその施工方法に関する。
【背景技術】
【０００２】
現場施工型中空コンクリートスラブとは、施工現場で水平方向に型枠を建て込み、その上に下端筋と軽量な埋込材と上端筋などを配置した後、コンクリートを打設して構築される中空コンクリートスラブ構造であり、現場打ちしたコンクリートが硬化した後に型枠を取り外し、必要な場合には、露出したコンクリート面に適宜の天井材等が取り付けられてコンクリートスラブとされる。
【０００３】
この施工方法は、重機を使用することなく、中空コンクリートスラブ構造を現場施工することができる利点があり、プレキャストコンクリート板（ＰＣ板）に埋込材と必要な配筋を取り付けた中空コンクリート基板を工場で製造し、それを施工現場に持ち込んで躯体のスパン間に設置した後、コンクリートを打設するようにした中空コンクリートスラブ構造およびその施工方法と共に、集合住宅などを建てるときに広く採用されている。
【０００４】
現場施工型中空コンクリートスラブ構造では、施工時に施工現場でコンクリートを打設したときに、軽量体である埋込材に浮力が生じる。その浮力が上端筋に作用すると上端筋が不安定になり、上端筋の膨れや位置ずれが生じて、上端筋に対する予定のかぶり厚さが取れなくなる恐れがある。それを回避するために、いくつかの提案がなされている。
【０００５】
特許文献１では、保持片や支承脚を用いて埋込材を型枠から上方に浮いた姿勢に支承保持した状態とし、その後、所要のスペーサを用いて上端筋を配置した後、コンクリートを打設するようにしている。この施工方法では、現場打ちコンクリートの浮力が埋込材に作用しても、予め支承保持されている埋込材が移動することはないので、上端筋に位置ずれが生じることはない。
【０００６】
特許文献２では、下端筋留め具により下端筋を型枠に固定し、型枠上に立てた上端筋用スペーサの上に上端筋を配筋し、下端筋と上端筋との間に上下筋緊結具を介在させると共に、埋込材の上面と上端筋との間にスペーサを介在させることによって、浮力が作用したときの埋込材の位置決めを図っている。コンクリートの打設によって生じる埋込材の浮力は上端筋側に作用するが、上端筋は、上下筋緊結具を介して、型枠に固定された下端筋に繋がっているので、埋込材に作用する浮力によって上端筋に位置ずれが生じることはない。
【０００７】
特許文献３では、埋込材に挿通できかつ先端に押さえプレートを備えたガイドを型枠に固定し、コンクリートの打ち込みによって浮上する埋込材を押さえプレートで押さえることで、埋込材の位置決めをし、埋込材の浮力が上端筋に作用するのを阻止している。
【特許文献１】特公昭６４−９４２７号公報
【特許文献２】特開２００５−１６０７８号公報
【特許文献３】特開２０００−１９２５９１号公報
【発明の開示】
【発明が解決しようとする課題】
【０００８】
上記特許文献１に記載の施工方法は、埋込材と上端筋の双方の安定化を図ることができるが、埋込材を固定するのに多くの部材を必要とし、施工がやや煩雑となるのを避けられない。特許文献２に記載の施工方法でも、埋込材と上端筋の双方の安定化を図ることができるが、上端筋の配筋には、型枠上に立てた上端筋用スペーサを必要とし、また上端筋の安定化に上下筋緊結具を必要としており、やはり、多くの部品を必要とし、かつ施工がやや煩雑となるのを避けられない。また、埋込材の配置具合によっては、型枠上に上端筋用スペーサを立て込むのに制限を受け、所定数の上端筋用スペーサをセットするのが困難となる場合がある。
【０００９】
特許文献３の施工方法においても、埋込材の浮力が上端筋に作用するのを阻止することができる。しかし、上端筋、下端筋の設置方法については特に記載はなく、従来法によっていることから、特許文献１，２に記載の施工方法と同様、上下筋緊結具等の多くの部品を必要とし、施工もやや煩雑となる。
【００１０】
また、上端筋と埋込材との距離は施工しようとする現場施工型中空コンクリートスラブの設計仕様により異なるが、いずれの特許文献に記載の施工方法でも、異なった距離に応じて異なった高さのスペーサを用意する必要があり、この点からも部品数が多くなっている。
【００１１】
本発明は、上記のような事情に鑑みてなされたものであり、より少ない部品数で、かつより簡素化した施工手順で施工することができ、さらに、設計仕様により上端筋と埋込材との距離が異なる場合でも、同じ部材でもってそれに適切に対処することができる、改良された現場施工型中空コンクリートスラブおよびその施工方法を提供することを目的とする。
【課題を解決するための手段】
【００１２】
本発明による現場施工型中空コンクリートスラブ構造は、施工現場で型枠の上に少なくとも下端筋と埋込材と上端筋とを配置した状態で当該施工現場においてコンクリートを打設し、コンクリートの硬化後に型枠を取り除いて構築される現場施工型中空コンクリートスラブ構造であって、埋込材を貫通しかつ埋込材の上面から突出する突出部を有する埋込材固定具と、前記埋込材固定具に取り付けられた埋込材固定板と、前記埋込材固定具の前記突出部に高さ位置を調節した後に取り付けられた上端筋スペーサとをさらに含んでおり、前記上端筋は前記上端筋スペーサに載った姿勢とされていることを特徴とする。
【００１３】
また、本発明による現場施工型中空コンクリートスラブの施工方法は、施工現場で型枠の上に少なくとも下端筋と埋込材と上端筋とを配置した状態で当該施工現場においてコンクリートを打設し、コンクリートの硬化後に型枠を取り除いて構築される現場施工型中空コンクリートスラブの施工方法であって、前記型枠の上に前記下端筋と前記埋込材を配置した状態で、埋込材固定具を埋込材を貫通しかつ埋込材の上面から先端が突出した状態で型枠に取り付ける工程と、前記埋込材固定具に埋込材の上方への移動を規制するための埋込材固定板を取り付ける工程と、前記埋込材固定具の埋込材から上方に突出している部分に高さ位置を調節しながら上端筋スペーサを取り付ける工程と、前記上端筋スペーサの上に載るようにして上端筋を配置する工程と、コンクリートを打設する工程と、打設したコンクリートが硬化した後に型枠を取り除く工程とを少なくとも含むことを特徴とする。
【００１４】
本発明によれば、打設したコンクリートによって生じる埋込材の浮き上がりは、下端部を型枠に固定しかつ埋込材を貫通している埋込材固定具に取り付けた埋込材固定板によって規制されるので、埋込材に作用する浮力が上端筋に作用することはなく、上端筋に膨れや位置ずれが生じることはない。また、埋込材自体が打設したコンクリートによって不規則に移動することもない。
【００１５】
前記埋込材固定具は、埋込材の上面から先端が突出した状態で型枠に取り付けられており、その突出部には、コンクリートの打設前に高さを適宜調節して取り付けられた上端筋スペーサが位置しており、その上に載るようにして上端筋が配置されるので、同じ埋込材固定具と同じ上端筋スペーサを用いて、すなわち、少ない部品数部ありながら、設計仕様によって異なる埋込材と上端筋との間の距離に対して適切に対処して、所要のかぶり厚さを確保することができる。
【００１６】
また、上端筋は、埋込材を貫通しかつ突出部を有する埋込材固定具の前記突出部に取り付けた上端筋スペーサによって支持されるので、従来のもののように型枠に立てる上端筋用スペーサを省略することができる。そのために、施工に際して、部品数が少なくなることに加え、埋込材の割付にしたがって計画的に上端筋をセットすることができる。また、型枠に上端筋用スペーサを立てる作業を省略できるので、施工手順も簡素化される。
【００１７】
本発明において、埋込材固定具は、任意の手段で下端部を型枠に固定できる鋼製棒が好ましくは用いられる。埋込材固定具の前記突出部に上端筋スペーサを高さ調節自在に取り付ける態様は任意であるが、作業性が良好なことから、少なくとも埋込材固定具の前記突出部に雄ねじを加工しておき、上端筋スペーサ側に該雄ねじに螺合する雌ねじを加工するか、雌ねじを持つナットを溶着しておく態様は好ましい。この態様では、上端筋スペーサを回動することにより、容易に上下方向の位置決めをすることができ、またその位置で確実に位置固定することができる。
【００１８】
本発明において、前記埋込材固定板も、コンクリート打設前に、固定されるべき高さ位置が調節できるようにされていてもよい。この態様では、埋込材の厚さが異なっていても、同じ埋込材固定具と埋込材固定板を用いて、最適の位置に埋込材をセットすることできる。
【００１９】
本発明による現場施工型中空コンクリートスラブにおいて、上端筋の主筋あるいは副筋のいずれか一方を、前記埋込材固定具の突出部に取り付けた上端筋スペーサの上に直接載せるようにしてもよく、上端筋スペーサの上に捨て筋を配置し、それを介して、上端筋の主筋あるいは副筋のいずれか一方を上端筋スペーサに載せるようにしてもよい。後者の態様を取ることにより、上端筋の配筋間隔の自由度を大きくすることができる。
【００２０】
本発明の現場施工型中空コンクリートスラブおよびその施工方法において、埋込材は、埋込材固定具が通過できる貫通孔を有しており、かつ該貫通孔から打設したコンクリートが入り込んで軽量性を喪失することが生じないことを条件に、従来知られた任意の中実または中空の埋込材を用いることができる。好ましくし、発泡樹脂成形品であり平面視矩形状をなす中実の埋込材である。発泡樹脂としては、ポリスチレン発泡体が好適に用いられる。埋込材固定具のための貫通孔は、１個であってもよく２個以上が形成されていてもよい。
【００２１】
他の態様の埋込材として、裏面に２条以上の幅の狭い凸条を有する形態のものを用いることもできる。この態様の埋込材を用いる場合には、該凸条の下面が下端筋に接した状態で、前記した埋込材固定具の型枠に対する取り付けと、埋込材固定具に対する埋込材固定板の固定を行い、埋込材を位置決めする。この態様では、コンクリートを打設する時点で埋込材の位置決めは終了しており、打設したコンクリートによって生じる浮力によって埋込材が不安定な動きをするのを確実に阻止することができる。埋込材と下端筋とは幅の狭い凸条の下面でのみ接しているので、埋込材裏面へのコンクリートの回り込みが不十分となることもない。好ましくは、凸条の方向は、下端筋への安定性を高めるために、下端筋の方向と交叉する方向とされる。さら好ましくは、凸条と凸条の間へのコンクリートの回り込みをよくするために、埋込材の裏面と上面とを連通する空気抜き孔を設ける。最も好ましくは、コンクリートの回り込みをよくするために、バイブレータを差し込める大きさの空気孔を、併用して設ける。本発明者らの実験では、前記空気抜き孔は直径３〜１５ｍｍ程度が有効であり、埋込材が４５０ｍｍ×１０５０ｍｍである発泡樹脂成形品である場合、５０個程度の空気抜き孔を設けることにより、裏面への十分なコンクリートの回り込みが得られた。
【発明の効果】
【００２２】
本発明によれば、現場施工型中空コンクリートスラブを、より少ない部品数で、かつより簡素化した施工手順で施工することができる。さらに、設計仕様により上端筋と埋込材との間の距離が異なる場合でも、同じ部材を用いてそれに適切に対処することができる。そのために、施工の自由度が大きくなり、施工コストの低減ももたらされる。
【発明を実施するための最良の形態】
【００２３】
以下、図面を参照しながら、本発明を実施の形態に基づき説明する。図１は本発明による現場施工型中空コンクリートスラブ構造の一例を説明するための断面図であり、コンクリート打設前の状態を示している。図２はそこで用いられる固定用具の一例を分解して示している。図３は固定用具の一部材を構成する埋込材固定板の他の形態を示し、図４は固定用具の一部材を構成する上端筋スペーサの他の２つの形態を示している。図５は本発明による現場施工型中空コンクリートスラブ構造の他の例を示す断面図であり、図６はそこで用いる埋込材を示している。
【００２４】
本発明による現場施工型中空コンクリートスラブ構造の施工に際し、最初に、コンクリート打ち込み用の型枠１０を水平方向に建て込み、型枠１０の上に適宜の下端筋スペーサ１２を介して縦横に下端筋１３を配筋する。次ぎに、後記するようにして、設計仕様に従い、下端筋１３の上に所要数の埋込材２０を配置し固定する。なお、埋込材２０には少なくとも１個の貫通孔２１が形成されており、配置される埋込材２０の前記貫通孔２１に対向する型枠１０の位置には貫通孔１１が形成される。また、埋込材２０の固定には、図２に示す固定用具Ａが用いられる。
【００２５】
固定用具Ａは、埋込材固定具３０と、埋込材固定板４０と、上端筋スペーサ４５とで構成される。埋込材固定具３０は、上方ねじ部３１と下方ねじ部３２を備えた鋼製の棒部材３３と、該棒部材３３の下方ねじ部３２が上方から螺合するナット３４と、ワッシャ３５と、ナット３４に下方から螺合する固定用ねじ３６とを有する。下端筋１３を配筋した状態で、型枠１０の前記貫通孔１１の上に、前記したワッシャ３５とナット３４を置き、型枠１０の下から固定用ねじ３６を型枠１０の貫通孔１１を通してナット３４に螺合することにより、ナット３４は型枠１０に垂直姿勢で固定される。
【００２６】
埋込材２０を、その貫通孔２１の位置と前記ナット３４の位置とを位置合わせしながら下端筋１３の上に配置し、埋込材２０の上から貫通孔２１を通して棒部材３３を落とし込み、その下方ねじ部３２をナット３４に螺合する。それにより、埋込材固定具３０は型枠１０に垂直姿勢で固定されると共に、埋込材２０の平面方向への移動は規制された状態となる。作業手順としては、埋込材固定具３０を型枠１０に垂直姿勢で固定した後に、埋込材２０を埋込材固定具３０の上方から落とし込むようにしてもよい。
【００２７】
なお、棒部材３３の長さは、型枠１０に垂直姿勢で固定した状態で、設計仕様により設定される上端筋１４の位置の下方近傍まで、その先端が達する長さに設定されている。そのために、型枠１０に垂直姿勢で固定された状態で、棒部材３３はその上方部分が埋込材２０から上方に突出した突出部を有することとなり、該突出部が前記した上方ねじ部３１とされている。
【００２８】
次ぎに、図２に示す埋込材固定板４０を、棒部材３３の所定高さ位置に取り付ける。図２に示す埋込材固定板４０は、ナット４２が埋込材固定板４０に溶着されており、ナット４２を上方ねじ部３１に螺合して埋込材固定板４０を回動することにより、設計仕様で定められている高さ位置、すなわち埋込材２０の上面位置にまでねじ込むことができる。埋込材固定板４０とナット４２は別部材とされていてもよい。その場合には、埋込材固定板４０の中央に形成した穴（不図示）に棒部材３３を通して、埋込材固定板４０を埋込材２０の上面にまで落下させ、その後、上方ねじ部３１にナット４２を設計仕様で定められている所定高さ位置までねじ込むようにする。
【００２９】
次ぎに、図２に示す上端筋スペーサ４５を棒部材３３の上方ねじ部３１に、さらに螺合する。この例で、上端筋スペーサ４５は、底板４６と、左右の側板４７，４７と、側板４７、４７の上縁に形成した凹所４８、４８とを有し、底板４６の中央には穴が形成されていて、その裏面側にナット４９が溶着されている。ナット４９を棒部材３３の上方ねじ部３１に螺合させて上端筋スペーサ４５を回転することにより、上端筋スペーサ４５は次第に下降していく。設計仕様で定められた上端筋１４の高さ位置にまで上端筋スペーサ４５をねじ込み、そこで停止することにより、上端筋スペーサ４５の高さ方向の位置決めが行われる。なお、この高さ位置は、前記した設計仕様で定められている埋込材２０の上面位置との間の距離として設定してもよい。
【００３０】
なお、上端筋スペーサ４５において、底板４６に形成する穴をねじ穴とする場合には、ナット４９は不要であり、また、上端筋スペーサ４５とナット４９を分離しておき、ナット４９を所定位置に位置決めした後に、上端筋スペーサ４５を単に落とし込むようにしてもよい。
【００３１】
上記のようにして、所要数の埋込材２０および固定用具Ａを設計仕様に従って型枠１０に対して取り付け、その上端筋スペーサ４５を利用して上端筋１４を配置する。なお、図１に示す例では、捨て筋１５を上端筋スペーサ４５の上に配置し、該捨て筋１５を介して上端筋１４を配置するようにしているが、上端筋スペーサ４５の上に、直接、上端筋１４の主筋１４ａあるいは副筋１４ｂを配置するようにしてもよい。捨て筋１５を用いる場合には、上端筋１４の主筋１４ａあるいは副筋１４ｂの間隔と上端筋スペーサ４５間の間隔とを一致させる必要がなくなり、上端筋１４の配筋間隔の自由度を大きくすることができると共に、上端筋スペーサ４５間の間隔も大きくすることができ、場合によっては、いずれかの埋込材固定具３０の上端に上端筋スペーサ４５を取り付けるのを省略することもできる。
【００３２】
上端筋スペーサ１５を用いて所定高さに上端筋１４を縦横に配筋した後、コンクリートを打設する。コンクリートの打設により、埋込材２０に浮力が生じ上方へ移動するが、その上方への移動は、図１に仮想線で示すように、前記した埋込材固定具３０の高さ位置により規制されて、そこで停止する。従って、埋込材２０に作用する浮力が上端筋１４に影響を与えることはない。また、前記のように、厚さの異なる埋込材を用いる場合でも、埋込材固定具３０の高さ位置を調節することにより、同じ棒部材３３を用いて、それぞれ最適の高さ位置に埋込材をセットすることができる。上端筋１４も上端筋スペーサ４５により、設計仕様で定められた所要の高さ位置に配筋されているので、所望のコンクリートのかぶり厚を確実に確保することができる。
【００３３】
打設したコンクリートが硬化した後、型枠１０の下面側で固定用ねじ３６を取り外し、型枠１０を取り外すことにより、現場施工型中空コンクリートスラブ構造が得られる。固定用ねじ３６を除去することにより生じる、打設したコンクリート側に残っているねじ穴は、パテ等により埋め込んで閉鎖するか、天井材等の仕上げ材を取り付けるときのねじとして利用する。
【００３４】
上記のように、本発明による現場施工型中空コンクリートスラブ構造およびその施工方法では、図２に示した固定用具Ａを用いるのみで、埋込材２０の位置決めと上端筋１４の所要高さ位置への配筋を行うことができ、従来のように、型枠に立てる上端筋用スペーサや下端筋留め具、あるいは上下筋緊結具等を必要としない。また、同じ固定用具Ａを用いて、設計仕様の異なる複数の現場施工型中空コンクリートスラブ構造にも対処することができる。そのために、部品数が低減し、また施工工程も減少することから、施工コストの大幅な低減が可能となる。
【００３５】
図３は、埋込材固定板の他の形態を示す。この埋込材固定板４０ａは一辺から中央に至る切り込み４３が形成されている。この埋込材固定板４０ａでは、切り込み４３を利用して横方向から埋込材固定板４０ａを埋込材固定具３０に装着できる利点がある。なお、図示しないが、埋込材固定板４０ａの高さ位置を決定するために、ナット４２が別途用いられる。
【００３６】
図４は上端筋スペーサの他の形態を示している。図４ａに示す上端筋スペーサ４５ａは、底板４６の両側ではなく、中程に２つの側壁４７，４７が立設している。また、図４ｂに示す上端筋スペーサ４５ｂは、底板４６に対して、上縁に凹部４８を形成するようにして折り曲げ加工された鋼線部材５０の一端５１が溶着されている。なお、いずれの図でもナット４９は示していない。
【００３７】
図５は、本発明による現場施工型中空コンクリートスラブ構造の他の例を示す断面図であり、ここでは、埋込材２０ａとして、図６に示すように、裏面に複数条の幅の狭い凸条２２が、好ましくは側辺に交叉する方向で形成されているものを用いている点で、図１に示した現場施工型中空コンクリートスラブ構造と相違している。
【００３８】
この形態の埋込材２０ａを用いる場合には、埋込材２０ａを下端筋１３の上に置いた状態でも、打設したコンクリートは埋込材２０ａの裏面に回り込むことができる。そのために、固定用具Ａを用いて埋込材２０ａを型枠１０に対して配置するときに、図５に示すように、埋込材１０ａを下端筋１３の上に置き、その状態の埋込材１０ａの上面に埋込材固定板４０を固定するようにしても、中空コンクリートスラブとして格別の不都合は生じない。この態様では、コンクリートを打設する時点で埋込材２０ａの位置決めは終了しており、打設したコンクリートによって生じる浮力によって埋込材２０ａが不安定な動きをするのも確実に阻止することができる。上端筋スペーサ４５の取り付け作業等の他の作業は、図１に示した現場施工型中空コンクリートスラブ構造の場合と同じである。
【００３９】
なお、必須のものではないが、好ましくは図示のもののように、埋込材２０ａには、凸条２２と凸条２２の間へのコンクリートの回り込みをよくするために、埋込材２０ａの裏面と上面とを連通する空気抜き孔２３が設けられる。さらに、バイブレータを差し込める大きさの径を備えた空気孔２４を併用して設け、コンクリートの打設時に、該空気孔２４にバイブレータを差し込んで振動を与えることにより、コンクリートの回り込みを一層良好にすることができる。
【図面の簡単な説明】
【００４０】
【図１】本発明による現場施工型中空コンクリートスラブ構造の一例を説明するための断面図であり、コンクリート打設前の状態を示す。
【図２】現場施工型中空コンクリートスラブ構造で用いる固定用具の一例を分解して示す図。
【図３】固定用具の一部材を構成する埋込材固定板の他の形態を示す図。
【図４】固定用具の一部材を構成する上端筋スペーサの他の２つの形態を示す図。
【図５】本発明による現場施工型中空コンクリートスラブ構造の他の例を示す断面図であり、コンクリート打設後の状態を示している。
【図６】図５に示す現場施工型中空コンクリートスラブ構造で用いている埋込材を示しており、図６ａは上面図、図６ｂは背面図である。
【符号の説明】
【００４１】
１０…型枠、１１…貫通孔、１２…下端筋スペーサ、１３…下端筋、１４…上端筋、１５…捨て筋、２０…埋込材、２１…貫通孔、２２…凸条、２３…空気抜き孔、Ａ…固定用具、３０…埋込材固定具、３１…上方ねじ部、３２…下方ねじ部、３３…棒部材、３４…ナット、３５…ワッシャ、３６…固定用ねじ、４０、４０ａ…埋込材固定板、４２…ナット、４３…切り込み、４５、４５ａ、４５ｂ…上端筋スペーサ、４６…底板、４７…側板、４８…凹所、４９…ナット
【図１】
2007247138.tif 000003
【図２】
2007247138.tif 000004
【図３】
2007247138.tif 000005
【図４】
2007247138.tif 000006
【図５】
2007247138.tif 000007
【図６】
2007247138.tif 000008